(57)【要約】【課題】  印刷物制作における訂正内容の確認を正確かつ容易にし、効率的な校正作業を行うことを可能とする訂正管理システム等を提供する。【解決手段】  サーバ１は、訂正済み制作物に対して、訂正元制作物プレビュデータ２１からなる訂正元制作物プレビュレイヤー６１上に、訂正指示データ２３を配置する訂正指示レイヤー６２と、訂正した訂正後制作物プレビュデータ２４からなる訂正後制作物プレビュレイヤー６３を各レイヤーの同一位置を基点に同期して重畳配置してクライアント端末４に送信する訂正箇所提示手段１０１と、クライアント端末４の入力手段の比較確認指示により、訂正元制作物プレビュレイヤー６１と訂正後制作物プレビュレイヤー６３を、残像効果を有する所定時間間隔で切り替えて提示し訂正箇所を比較確認する訂正箇所比較確認手段１０２を備える。【選択図】  図７
2009211483.tif 000002
【特許請求の範囲】
【請求項１】
印刷制作物に対する訂正指示を依頼する依頼者の端末装置と、前記訂正指示に応じて訂正を行う制作会社の端末装置と、訂正指示と訂正作業を管理するサーバとがネットワークを介して接続される訂正管理システムであって、
前記サーバは、
訂正元となる制作物に関連付けられた、前記制作物のプレビュデータである訂正元制作物プレビュデータと、前記制作物に対する１又は複数の訂正指示データからなる訂正指示リストと、訂正後制作物プレビュデータを記憶する記憶手段と、
訂正済みの制作物に対して、前記訂正元制作物プレビュデータからなる訂正元制作物プレビュレイヤー上に、登録されている訂正指示データを配置する訂正指示レイヤーと、訂正した訂正後制作物プレビュデータからなる訂正後制作物プレビュレイヤーを各レイヤーの同一位置を基点に同期して重畳配置して前記端末装置に提示する訂正箇所提示手段と、
前記端末装置の入力手段の指示により、前記訂正後制作物プレビュレイヤーと前記訂正元制作物プレビュレイヤーとを所定時間間隔で順次切り替えて表示し訂正箇所を比較確認する訂正箇所比較確認手段と、
を具備することを特徴とする訂正管理システム。
【請求項２】
前記訂正箇所比較確認手段は、残像効果を有する所定時間で切り替えて表示することを特徴とする請求項１記載の訂正管理システム。
【請求項３】
前記訂正箇所提示手段は、前記訂正指示リストに登録されている各訂正指示データの位置に対応する訂正後制作物プレビュレイヤー上に訂正指示内容をアイコン化した修正フラグを配置し前記端末装置に提示することを特徴とする請求項１又は請求項２記載の訂正管理システム。
【請求項４】
前記サーバは、
制作物のプレビュデータである訂正元制作物プレビュデータを登録、記憶し、前記依頼者の端末装置に提示し前記訂正元制作物プレビュデータ上に書き込まれた訂正指示データを訂正指示リストに登録、記憶する訂正指示作成手段、
を更に具備することを特徴とする請求項１乃至は請求項３いずれかに記載の訂正管理システム。
【請求項５】
前記サーバは、
登録された訂正指示データと前記訂正元制作物プレビュデータを重畳配置し前記制作会社の端末装置に提示し、前記制作会社の端末装置からの前記訂正指示データに応じて訂正された訂正後制作物プレビュデータを登録、記憶する訂正手段、
を更に具備することを特徴とする請求項１乃至は請求項４いずれかに記載の訂正管理システム。
【請求項６】
前記サーバはＷｅｂサーバであり、前記端末装置はＷｅｂブラウザとして機能するものであることを特徴とする請求項１乃至は請求項５いずれかに記載の訂正管理システム。
【請求項７】
コンピュータを請求項１から請求項６のいずれかに記載の訂正管理システムにおけるサーバとして機能させるプログラム。
【請求項８】
コンピュータを請求項１から請求項６のいずれかに記載の訂正管理システムにおけるサーバとして機能させるプログラムを記録した記録媒体。
【発明の詳細な説明】
【技術分野】
【０００１】
本発明は、ネットワークを利用した、印刷制作物に対する訂正指示と訂正作業を管理する訂正管理システムに関する。
【背景技術】
【０００２】
従来から、チラシ、カタログ、パンフレットなど印刷物の編集制作に適した、ページレイアウトシステムが実用化されている。更に、近年、媒体制作を行う際に、コンピュータの普及に伴い、カタログに載せる商品データをデータベース化して利用することが始まっている。得意先を含めた形態で、データベースと連携して制作作業を行うことができるデスクトップパブリッシング（ＤＴＰ）作業と親和性の高い媒体制作システムが運用され、媒体制作作業の効率化が図られてきている。
【０００３】
一般に、印刷物（制作物）に対して、内容変更、記載不備が生じ、依頼者と制作会社との間で、紙媒体等により訂正指示、訂正、確認等何回かのやりとりの後、初めて制作物が完成する。
また、印刷物が発注者の意図通りにできているかを発注者が確認する校正作業を行う分野においては、従来からある校正刷り（紙）による校正方法に加えて、最近ではＤＴＰで作成した製版データファイルを汎用的な製版データ形式に変換した上で、ネットワーク等で発注者に送付し、発注者側での社内ネットワークで校正を行うシステムが公開されている（例えば、特許文献１）。
【０００４】
【特許文献１】特開２００２−００７３９１号公報
【発明の開示】
【発明が解決しようとする課題】
【０００５】
しかしながら、訂正元、修正指示、訂正後の制作物（プルーフ）をセットにして、修正した内容を確認する作業（校正）は、負荷が大きく、訂正内容の確認と訂正前後のチェックを簡単することが望まれている。
【０００６】
本発明は、以上の点に鑑みてなされたものであり、印刷物制作における訂正内容の確認を正確かつ容易にし、効率的な校正作業を行うことを可能とする訂正管理システム等を提供することを目的とする。
【課題を解決するための手段】
【０００７】
前述した目的を達成するために第１の発明は、印刷制作物に対する訂正指示を依頼する依頼者の端末装置と、前記訂正指示に応じて訂正を行う制作会社の端末装置と、訂正指示と訂正作業を管理するサーバとがネットワークを介して接続される訂正管理システムであって、前記サーバは、訂正元となる制作物に関連付けられた、前記制作物のプレビュデータである訂正元制作物プレビュデータと、前記制作物に対する１又は複数の訂正指示データからなる訂正指示リストと、訂正後制作物プレビュデータを記憶する記憶手段と、訂正済みの制作物に対して、前記訂正元制作物プレビュデータからなる訂正元制作物プレビュレイヤー上に、登録されている訂正指示データを配置する訂正指示レイヤーと、訂正した訂正後制作物プレビュデータからなる訂正後制作物プレビュレイヤーを各レイヤーの同一位置を基点に同期して重畳配置して前記端末装置に提示する訂正箇所提示手段と、前記端末装置の入力手段の指示により、前記訂正後制作物プレビュレイヤーと前記訂正元制作物プレビュレイヤーとを所定時間間隔で順次切り替えて表示し訂正箇所を比較確認する訂正箇所比較確認手段と、を具備することを特徴とする訂正管理システムである。
【０００８】
また、前記訂正比較確認手段は、残像効果を有する所定時間で切り替えて表示することが望ましい。
また、前記訂正指示リストに登録されている各訂正指示データに相当する訂正後制作物プレビュレイヤー上の訂正指示箇所に訂正指示内容をアイコン化した訂正フラグを配置し前記端末装置に提示することが望ましい。
また、前記サーバはＷｅｂサーバであり、前記端末装置はＷｅｂブラウザとして機能するものであることが望ましい。
また、前記サーバは、制作物のプレビュデータである訂正元制作物プレビュデータを登録、記憶し、前記依頼者の端末装置に提示し前記訂正元制作物プレビュデータ上に書き込まれた訂正指示データを訂正指示リストに登録、記憶する訂正指示作成手段、を更に具備することが望ましい。
また、前記サーバは、登録された訂正指示データと前記訂正元制作物プレビュデータを重畳配置し前記制作会社の端末装置に提示し、前記制作会社の端末装置からの前記訂正指示データに応じて訂正された訂正後制作物プレビュデータを登録、記憶する訂正手段、を更に具備することが望ましい。
【０００９】
第１の発明では、訂正前のプレビュと訂正後プレビュとの比較確認を行うことにより、訂正箇所を正確かつ容易に確認することができる。
また、短時間で効率的な校正を行うことができ、作業者の負担を軽減することができ、ユーザにとって利便性の高い校正方法を提供できる。
【００１０】
第２の発明は、コンピュータを第１の発明の訂正管理システムのサーバとして機能させるプログラムである。
第３の発明は、コンピュータを第１の発明の訂正管理システムのサーバとして機能させるプログラムを記録した記録媒体である。
【００１１】
上述のプログラムをＣＤ−ＲＯＭ等の記録媒体に保持させて流通させてもよいし、このプログラムを通信回線を介して送受することもできる。
【発明の効果】
【００１２】
本発明は、印刷物制作における訂正内容の確認を正確かつ容易にし、効率的な校正作業を行うことを可能とする訂正管理システム等を提供することができる。
【発明を実施するための最良の形態】
【００１３】
以下に、添付図面を参照しながら、本発明に係る訂正管理システム等の好適な実施形態について詳細に説明する。なお、以下の説明および添付図面において、略同一の機能構成を有する構成要素については、同一の符号を付することにより重複説明を省略することにする。
【００１４】
図１は、本発明の本実施の形態に係る訂正管理システム１００の概略構成を示す図である。
【００１５】
図１は、訂正管理システム１００の１例であり、図１に示すように、訂正管理システム１００は、サーバ１、依頼元１０と制作会社１３の複数のクライアント端末４等が、ネットワーク９を介して接続されて構成される。
【００１６】
ネットワーク９は、インターネット、ローカルエリアネットワーク（ＬＡＮ）、社内ＬＡＮ等のネットワークであり、有線、無線を問わない。
【００１７】
サーバ１は、サーバコンピュータ等であり、Ｗｅｂサーバ２、Ｗｅｂアプリケーション３である訂正管理アプリケーション、及び訂正元制作物プレビュデータ２１、訂正指示データ２３、訂正後制作物プレビュデータ２４等の訂正管理情報２０を記憶する記憶部３０２を有する。訂正管理アプリケーションは、訂正箇所提示手段１０１、訂正箇所比較確認手段１０２を有する。
【００１８】
訂正箇所提示手段１０１は、訂正済みの制作物に対して、訂正元制作物プレビュデータ２１からなる訂正元制作物プレビュレイヤー上に、登録されている訂正指示データ２３を配置する訂正指示レイヤーと、訂正した訂正後制作物プレビュデータ２４からなる訂正後制作物プレビュレイヤーとを各レイヤーの同一位置を基点に同期して重畳配置してクライアント端末４に送信する。
訂正箇所比較確認手段１０２は、クライアント端末４の入力手段の指示により、訂正元制作物プレビュレイヤーと訂正後制作物プレビュレイヤーとを所定時間間隔で順次切り替えて提示し訂正箇所を比較確認する。
【００１９】
クライアント端末４は、パーソナルコンピュータ、携帯型端末機（Ｐｅｒｓｏｎａｌ  Ｄｉｇｉｔａｌ  Ａｓｓｉｓｔａｎｔ）等である。クライアント端末４は、Ｗｅｂブラウザ５を有する。クライアント端末４は、依頼元１０、制作会社１３の担当者が有する。各クライアント端末４は、運用に応じて、サーバ１から訂正元制作物プレビュデータ２１、訂正指示データ２３、訂正後制作物プレビュデータ２４等を受信、表示し、その内容を確認し、校正作業を行う。
【００２０】
尚、本実施の形態の訂正管理システム１００は、ＷＷＷ（Ｗｏｒｌｄ  Ｗｉｄｅ  Ｗｅｂ）技術を用いて実現し、サーバ１はＷｅｂサーバ２を、クライアント端末４はＷｅｂブラウザ５を搭載し、サーバ１とクライアント端末４は、夫々、Ｗｅｂサーバ２、Ｗｅｂブラウザ５を介して、データの送受信を行う。
【００２１】
次に、図２を参照しながら、サーバ１のハードウェア構成を説明する。図２は、サーバ１のハードウェア構成図である。
【００２２】
サーバ１は、制御部３０１、記憶部３０２、メディア入出力部３０３、通信制御部３０４、入力部３０５、表示部３０６、印刷部３０７等が、システムバス３０９を介して接続されて構成される。
【００２３】
制御部３０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２４】
ＣＰＵは、記憶部３０２、ＲＯＭ、記録媒体等に格納されるプログラムをＲＡＭ上のワークメモリ領域に呼び出して実行し、システムバス３０９を介して接続された各装置を駆動制御し、サーバ１が行う各種データベース管理処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部３０２、ＲＯＭ、記録媒体等からロードしたプログラム、データ等を一時的に保持するとともに、制御部３０１が各種処理を行う為に使用するワークエリアを備える。
【００２５】
記憶部３０２は、ＨＤＤ（ハードディスクドライブ）であり、制御部３０１が実行するプログラム、プログラム実行に必要なデータ、ＯＳ（オペレーティングシステム）等が格納される。プログラムに関しては、ＯＳ（オペレーティングシステム）に相当する制御プログラム２８や、本コンピュータを適用するサーバ１が行う訂正管理アプリケーションに相当するアプリケーションプログラム２９等が格納されている。
これらの各プログラムコードは、制御部３０１により必要に応じて読み出されてＲＡＭに移され、ＣＰＵに読み出されて各種の手段として実行される。
【００２６】
メディア入出力部３０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００２７】
通信制御部３０４は、通信制御装置、通信ポート等を有し、サーバ１とネットワーク９間の通信を媒介する通信インタフェースであり、ネットワーク９を介して、サーバ１と、クライアント端末４間の通信制御を行う。
【００２８】
入力部３０５は、データの入力を行い、例えば、キーボード、マウス等のポインティングデバイス、テンキー等の入力装置を有する。
入力部３０５を介して、サーバ１に対して、操作指示、動作指示、データ入力等を行うことができる。
【００２９】
表示部３０６は、ＣＲＴモニタ、液晶パネル等のディスプレイ装置を有する。
【００３０】
印刷部３０７は、プリンタであり、印刷出力処理を行う。
システムバス３０９は、各装置間の制御信号、データ信号等の授受を媒介する経路である。
【００３１】
次に、図３を参照しながら、サーバ１の記憶部３０２が保持する情報について説明する。図３は、記憶部３０２が保持する情報を示す図である。
【００３２】
記憶部３０２内には、訂正管理情報２０、及び制御プログラム２８、アプリケーションプログラム２９等が格納されている。
【００３３】
訂正管理情報２０は、訂正元となる１つの制作物毎に、訂正元制作物プレビュデータ２１、１又は複数の訂正指示データ２３からなる訂正指示リスト２２、訂正後制作物プレビュデータ２４等からなる。
【００３４】
訂正元制作物プレビュデータ２１は、訂正元となる制作物毎に関連付けられた制作物のプレビュデータである。
訂正指示データ２３は、訂正元制作物プレビュデータ２１に対応付けられる、依頼元１０からの訂正指示内容である。
訂正後制作物プレビュデータ２４は、訂正元制作物プレビュデータ２１に対して、訂正指示リスト２２内の訂正指示データ２３すべてに応じて修正したプレビュデータである。
【００３５】
制御プログラム２９は、サーバ１の各構成部分を駆動制御するプログラムであり、ＯＳ（オペレーティングシステム）に相当する。
アプリケーションプログラム２８は、サーバ１が行う訂正管理アプリケーション（訂正箇所提示手段１０１、訂正箇所比較確認手段１０２、訂正指示作成手段、訂正手段等）に相当する実行可能プログラムである。
【００３６】
尚、訂正元制作物２７、１又は複数の訂正指示データ２３からなる訂正指示リスト２２、訂正後制作物等は、データベースに登録、記憶しておき、取得してもよい。
【００３７】
次に、図４を参照しながら、クライアント端末４のハードウェア構成を説明する。図４は、クライアント端末４のハードウェア構成図である。
【００３８】
クライアント端末４は、制御部４０１、記憶部４０２、通信制御部４０３、メディア入出力部４０４、入力部４０５、表示部４０６、印刷部４０７等が、システムバス４０９を介して接続される。
クライアント端末４のハードウェア構成は、図２について前述したサーバ１と同様の構成を採る。
【００３９】
尚、入力部４０５は、訂正指示の書き込みを行う。例えば、手書き入力手段であるマウスやタブレット、キーボード等の入力装置を有する。
また、記憶部４０２には、プログラムに関しては、ＯＳ（オペレーティングシステム）に相当する制御プログラムや、本コンピュータを適用するクライアント端末４が行う後述の処理に相当するＷｅｂブラウザ５等に該当するアプリケーションプログラム等が格納されている。これらの各プログラムコードは、制御部４０１により必要に応じて読み出されてＲＡＭに移され、ＣＰＵに読み出されて各種の手段として実行される。
【００４０】
次に、図５を参照しながら、訂正管理システム１００の訂正済みである制作物に対する訂正確認処理の処理手順について説明する。
図５は、訂正管理システム１００の訂正確認処理の処理手順を示すフローチャートである。
【００４１】
Ｗｅｂサーバ２の記憶部３０２には、アプリケーションプログラム２９である訂正管理プログラムがインストールされている。以下のＷｅｂサーバ１の処理は、この訂正管理プログラムの制御に従って、Ｗｅｂサーバ１の制御部３０１によって行われる。
また、クライアント端末４の記憶部４０２には、アプリケーションプログラムであるＷｅｂブラウザ５がインストールされており、以下のクライアント端末４の処理（Ｗｅｂブラウザ５を介したＷｅｂサーバ２へのアクセス、Ｗｅｂサーバ２への指示、入力等）は、クライアント４の制御部４０１によって行われる。
【００４２】
予め、サーバ１は、訂正元となる制作物のプレビュデータである訂正元制作物プレビュデータ２１を記憶部３０２に登録、記憶し、依頼元１０のクライアント端末４に送信、表示し、依頼元１０のクライアント端末４から受け取った訂正指示データ２３を訂正指示リスト２２に登録、記憶する訂正指示作成手段に相当する訂正指示作成処理と、登録された訂正指示データ２３と訂正元制作物プレビュデータ２１を重畳配置して制作会社１３のクライアント端末４に送信し、制作会社１３のクライアント端末４からの訂正された訂正後制作物プレビュデータ２４を登録、記憶しておく訂正手段に相当する訂正処理を行う。
【００４３】
尚、訂正元となる制作物（訂正元制作物２７）の取得方法は、例えば、データベースに記憶、管理され、依頼元１０のクライアント端末４からの指示に従い、データベースサーバを介して取得する方法や、ネットワーク９を介して、依頼元１０のクライアント端末４から受信し取得する方法等いろいろな方法が考えられるが、ここでは、その方法については言及しない。
【００４４】
制作会社１３のクライアント端末４は、Ｗｅｂサーバ２を介して、サーバ１にアクセスし、訂正済みの制作物閲覧要求を送信する（ステップＳ２０１）。
サーバ１は、訂正元制作物プレビュデータ２１を表示する訂正元制作物プレビュレイヤー６１上に、訂正指示リスト２２に登録された各訂正指示データ２３を表示する訂正指示レイヤー６２と、訂正後制作物プレビュデータ２４を表示する訂正後制作物プレビュレイヤー６３を各レイヤーの同一位置を基点に同期して（例えば、左上を原点として同期する）重畳配置して訂正確認画面データを生成する（ステップＳ２０２）。サーバ１は、訂正後制作物プレビュレイヤー６３上には、各訂正指示データ２３の位置に対応する訂正指示内容をアイコン化した修正フラグ５４を配置する。
サーバ１は、訂正確認画面データを送信する（ステップＳ２０３）。
【００４５】
制作会社１３のクライアント端末４は、訂正確認画面５０を表示する（ステップＳ２０４）。
【００４６】
図６は、訂正確認画面５０を示す図である。
図６に示すように、訂正確認画面５０は、訂正元制作物プレビュ領域５１、訂正後制作物プレビュ領域５３、訂正指示リスト表示領域５６、表示ツール５８等からなる。
訂正元制作物プレビュ領域５１は、訂正元制作物プレビュレイヤー６１に相当し、訂正元制作物プレビュデータ２１からなり、通常は非表示状態であり、マウス等の入力手段により、比較確認指示されると表示・非表示される。
【００４７】
訂正後制作物プレビュ領域５３には、訂正元制作物プレビュレイヤーに相当し、訂正後制作物プレビュデータ２４を表示し、訂正箇所には訂正指示内容を示すアイコン化した修正フラグ５４を表示する。修正フラグ５４をクリックすると、該当する訂正指示データ２２からなる訂正指示内容画面５５が表示される。
訂正指示リスト表示領域５６には、訂正指示リスト２２に登録された１又は複数の訂正指示名５７からなる。訂正指示名５７をクリックすると、該当する訂正箇所を訂正後制作物プレビュ領域５３（と訂正元制作物プレビュ領域５１）の中央に配置し表示する。
【００４８】
表示ツール５８は、訂正後制作物プレビュ領域５３の画面倍率を変更し拡大／縮小するスケールバー、移動方向を操作する位置表示アイコンからなる。
尚、本実施の形態では、訂正箇所を容易に確認可能とするため、訂正後制作物プレビュ領域５３には、訂正箇所には訂正指示内容を示すアイコン化した修正フラグ５４を表示したが、これに限らない。訂正後制作物プレビュ領域５３には、訂正後制作物プレビュデータ２４のみを表示し、別に全体表示領域を設け、これに訂正箇所を記してもよい。
【００４９】
制作会社３のクライアント端末４は、画面上の訂正後制作物プレビュ領域５３で、修正フラグ５４の示す訂正箇所に対して、マウス等の入力手段４０５による比較確認指示を行う（ステップＳ２０５）。例えば、訂正箇所におけるマウスの右クリックにより比較確認を行う。
【００５０】
図７は、訂正前後の修正箇所を比較表示する画面レイヤーイメージ６０を示す図である。
図７に示すように、サーバ１は、訂正元制作物プレビュレイヤー６１と、訂正指示レイヤー６２と、訂正後制作物プレビュレイヤー６３とを、例えば、各レイヤーの左上を原点として同期し、残像効果を有する所定時間間隔で訂正元制作物プレビュデータ２１からなる訂正元制作物プレビュレイヤー６１と訂正後制作物プレビュデータ２４からなる訂正後制作物プレビュレイヤー６３を切り替えて提示する（ステップＳ２０６）。クライアント端末４は、訂正元制作物プレビュ領域５１と訂正後制作物プレビュ領域５３を切り替えて表示し比較確認する（ステップＳ２０７）。
【００５１】
尚、本実施の形態では、制作会社１３のクライアント端末４が訂正箇所閲覧、確認し、校正処理を行う作業について説明したが、依頼元１０のクライアント端末４が訂正箇所閲覧を行う場合もある。
【００５２】
以上説明したように、本発明の実施の形態によれば、制作物に対する訂正指示を依頼する依頼元１０のクライアント端末４と、訂正指示に対する訂正を行う制作会社１３のクライアント端末４と、サーバ１とが、ネットワークを介して接続され、サーバ１は、訂正済みの制作物に対して、訂正元制作物プレビュデータ２１からなる訂正元制作物プレビュレイヤー６１上に、登録されている訂正指示データ２３を配置する訂正指示レイヤー６２と、訂正した訂正後制作物プレビュデータ２４からなる訂正後制作物プレビュレイヤー６３を各レイヤーの同一位置を基点に同期して重畳配置してクライアント端末４に送信する訂正箇所提示手段１０１と、クライアント端末４の入力手段の比較確認指示により、訂正元制作物プレビュレイヤー６１と訂正後制作物プレビュレイヤー６３とを所定時間間隔で順次切り替えて提示し訂正箇所を比較確認する訂正箇所比較確認手段１０２とを備え、訂正確認を行う。
【００５３】
これにより、訂正前のプレビュと訂正後プレビュとの比較確認を行うことにより、訂正箇所を正確かつ容易に確認することができる。
また、短時間で効率的な校正を行うことができ、作業者の負担を軽減することができ、ユーザにとって利便性の高い校正方法を提供できる。
【００５４】
尚、本実施の形態では、サーバ１側に、Ｗｅｂサーバ２、Ｗｅｂアプリケーション３（訂正管理プログラム）、訂正管理情報２０等を有し、クライアント端末４から、サーバ１にアクセスし、Ｗｅｂサーバ２を介してＷｅｂアプリケーション３を起動したが、データベース上に訂正元制作物、訂正指示データ、訂正後制作物等を記憶、管理し、予め、クライアント端末４側にＷｅｂアプリケーション３に相当する訂正管理プログラムをダウンロードにしておき、クライアント端末４上のアプリケーションの実行可能プログラムを起動し、データベースを操作、管理するデータベースサーバを介して訂正元制作物、訂正指示データ、訂正後制作物をアクセスし、訂正箇所提示手段１０１、訂正箇所比較確認手段１０２に相当する処理を実行してもよい。
【００５５】
尚、図５に示す処理を行うプログラムはＣＤ−ＲＯＭ等の記録媒体に保持させて流通させてもよいし、このプログラムを通信回線を介して送受することもできる。
【００５６】
以上、添付図面を参照しながら、本発明に係る訂正管理システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００５７】
【図１】本実施の形態に係る訂正管理システム１００の概略構成を示す図
【図２】サーバ１のハードウェア構成図
【図３】記憶部３０２が保持する情報を示す図
【図４】クライアント端末４のハードウェア構成図
【図５】訂正管理システム１００の訂正確認処理の処理手順を示すフローチャート
【図６】訂正確認画面５０を示す図
【図７】訂正前後の修正箇所を比較表示する画面レイヤーイメージ６０を示す図
【符号の説明】
【００５８】
１００………訂正管理システム
１………サーバ
２………Ｗｅｂサーバ
３………Ｗｅｂアプリケーション
４………クライアント端末
５………Ｗｅｂブラウザ
９………ネットワーク
１０………依頼元
１３………制作会社
２０………訂正管理情報
２１………訂正元制作物プレビュデータ
２２………訂正指示リスト
２３………訂正指示データ
２４………訂正後制作物プレビュデータ
５１………訂正元制作物プレビュ領域
５３………訂正後制作物プレビュ領域
５４………修正フラグ
５５………訂正指示内容画面
５６………訂正指示リスト表示領域
５８………表示ツール
６１………訂正元制作物プレビュレイヤー
６２………訂正指示レイヤー
６３………訂正後制作物プレビュレイヤー
１０１………訂正箇所提示手段
１０２………訂正箇所比較確認手段
３０１、４０１………制御部
３０２、４０２………記憶部
【図１】
2009211483.tif 000003
【図２】
2009211483.tif 000004
【図３】
2009211483.tif 000005
【図４】
2009211483.tif 000006
【図５】
2009211483.tif 000007
【図６】
2009211483.tif 000008
【図７】
2009211483.tif 000009